(57)【特許請求の範囲】
【請求項１】
建物の壁面に沿わせる固定片と上記固定片の幅方向両端に前方屈曲した段部を介して上記固定片に対して略平行に延出した１対のひれ片とで板状の引掛け具を構成し、上記固定片にねじ具等の固着具を挿通させて引掛け具を壁面に固定し、引掛け具に引掛ける係止部が裏面に備えられた壁掛けラックを上記壁面に沿わせて配置し、上記係止部が壁掛けラックの裏面から裏方に突設した横片と上記横片の突出先端で且つ幅方向両端にそれぞれ垂設した１対の縦片とを有し、引掛け具の１対のひれ片と壁面との間の隙間に上記係止部の１対の縦片をそれぞれ配置した壁掛けラックの支持構造において、上記係止部の縦片に壁掛けラックの裏面の方向に突出した突起部を設けると共にこの突起部を縦片の縦方向に略亘るような突条に形成し、上記突起部を引掛け具のひれ片に圧接したことを特徴とする壁掛けラックの支持構造。
【発明の詳細な説明】
【０００１】
【発明の属する技術分野】
本発明は、壁面に引掛けて支持される壁掛けラックの支持構造に関する発明である。
【０００２】
【従来の技術】
従来から、図９に示すように浴室の壁面５に引掛けて配置させる壁掛けラック８は、図１０に示すように壁面５に固定した引掛け具１を介して壁面５に支持されるものである。詳述すると、これは、壁面５に沿わせる固定片２と上記固定片２の幅方向両端に前方屈曲した段部３を介して上記固定片２に対して略平行に延出した１対のひれ片４とで板状の引掛け具１を構成し（図５参照）、上記板状の引掛け具１を固定片２にねじ具等の固着具６を挿通させて壁面５に固定するものであって、壁面５に沿わせて配置した壁掛けラック８の裏面に上記引掛け具１に係止させる係止部７を備え、上記係止部７を壁掛けラック８の裏面から裏方に突設した横片９と上記横片９の突出先端で且つ幅方向両端にそれぞれ垂設した１対の縦片１０とで構成し、壁面５に固定した引掛け具１の１対のひれ片４と壁面５との間に形成された隙間１１に壁掛けラック８の係止部７の１対の縦片１０をそれぞれ配置させると共に、引掛け具１の上端に横片９を載置させることで、壁掛けラック８を引掛け具１を介して壁面５に支持させたものである（図１１）。
【０００３】
【発明が解決しようとする課題】
ところで、このような支持構造で壁面５に沿わせて支持された壁掛けラック８においては、図１１に示すように、成形誤差や寸法誤差等によって縦片１０が引掛け具１のひれ片４に接しない事態が発生すると、壁掛けラック８が壁面５に対してがたつきをもって配置されるに至るものである。
【０００４】
本発明は上記の点に鑑みてなされたものであり、壁掛けラックを壁面に沿わせてがたつきなく配置できるようにした壁掛けラックの支持構造を提供することを課題とするものである。
【０００５】
【課題を解決するための手段】
上記課題を解決するために本発明の請求項１に係る壁掛けラックの支持構造は、建物の壁面５に沿わせる固定片２と上記固定片２の幅方向両端に前方屈曲した段部３を介して上記固定片２に対して略平行に延出した１対のひれ片４とで板状の引掛け具１を構成し、上記固定片２にねじ具等の固着具６を挿通させて引掛け具１を壁面５に固定し、引掛け具１に引掛ける係止部７が裏面に備えられた壁掛けラック８を上記壁面５に沿わせて配置し、上記係止部７が壁掛けラック８の裏面から裏方に突設した横片９と上記横片９の突出先端で且つ幅方向両端にそれぞれ垂設した１対の縦片１０とを有し、引掛け具１の１対のひれ片４と壁面５との間の隙間１１に上記係止部７の１対の縦片１０をそれぞれ配置した壁掛けラックの支持構造において、上記係止部７の縦片１０に壁掛けラック８の裏面の方向に突出した突起部１２を設けると共にこの突起部１２を縦片１０の縦方向に略亘るような突条に形成し、上記突起部１２を引掛け具１のひれ片４に圧接したことを特徴とする。これにより、縦片１０の突起部１２をひれ片４に圧接して壁面５にがたつきなく壁掛けラック８を配置できるものである。そして、縦片１０を隙間１１に対して挿入・引き抜きをする際には、突起部１２を縦片１０の縦方向に略亘るような突条に形成したから、縦片１０のスライド方向への縦片１０と壁面５及びひれ片４への接触面積を少なくさせることができて縦片１０の上記隙間１１への挿入・引き抜きをスムーズにさせると共に、縦片１０をその縦方向に亘って壁面５及びひれ片４に挟持させることができて壁掛けラック８のがたつき防止の更なる向上を図ることができるものである。更に、突起部１２には、壁面５及びひれ片４から縦片１０にかかる挟持圧力が集中してかかるものであることから、突起部１２を含めた縦片１０の片厚が隙間１１厚に比べて多少大きいものであっても上記突起部１２を潰すようにして縦片１０を隙間１１に圧入させることができるものであって、つまり、突起部１２を設けた縦片１０の寸法精度を隙間１１厚に合わせて厳密に製造しなくてもよく、縦片１０、ひいては壁掛けラック８の製造コストの低減化を図り得るのである。
【０００７】
【発明の実施の形態】
以下、本発明を添付図面に示す実施形態に基づいて説明する。
【０００８】
図１乃至図８に本発明の実施の形態の例を示す。本例は浴室の壁面５に沿わせて着脱自在に備えられる壁掛けラック８であって、浴室の壁面５に固定した引掛け具１に壁掛けラック８の裏面に設けた係止部７を引掛け、上記壁掛けラック８を上記壁面５に沿わせてガタつきなく配置させたものである（図１０参照）。なお本例では、引掛け具１は壁面５に縦方向に３つ並べて設けてあり、また、係止部７も上記引掛け具１に対応して壁掛けラック８に縦方向に３つ並べて設けられている。以下、詳述する。
【０００９】
壁掛けラック８は図３に示すように、壁面５に沿わせる縦方向に長い面板１７を有し、上記面板１７の前面に略水平に突出した棚１８を縦方向に３段、等間隔に並べて設けている。それぞれの棚１８の上部には棚１８に載せた物品を落ちないようにさせる落下防止リブ１９が設けられている。図３（ｂ）に示すように棚１８は半円状の載置面を有しており、また、落下防止リブ１９は上記棚１８の上部で上記棚１８の外縁に沿って位置する円弧状リブで構成されている。なお、面板１７は左右両端に壁面５に対して垂直に当接する１対の壁面当接片１３と上下端に壁面５と面板１７の裏面との間を目隠しする目隠し片２０を有している。上記上下端の目隠し片２０のうち下方の目隠し片２０には、壁面５と面板１７との間に入った水を抜くための水抜き孔２１が設けられている［図３（ｂ）］。
【００１０】
そして、上記壁掛けラック８の面板１７の裏面には引掛け具１に引掛けさせる係止部７が設けられている。この係止部７は、面板１７の裏面から裏方に略水平に突設した横片９と、上記横片９の突出先端で且つ幅方向両端にそれぞれ垂設した１対の縦片１０と、面板１７の裏面から突設して上記横片９及び縦片１０のそれぞれの幅方向の外端に連結して係止部７を下方に開口した筐体状に形成する１対の側片２２とで構成されたものである。ここで、上記側片２２の下端部分には下端に行く程幅方向の外方に広がる形状の導入部２３が形成されている（図６，７）。この導入部２３は、係止部７の下方開口から面板１７裏面と縦板１０との間に引掛け具１を挿入させ易くするガイドである。また、上記係止部７の１対の縦片１０における面板１７裏面に対向した面には、突起部１２が上記面板１７の裏面方向（つまり、前方向）に突設されている。この突起部１２は縦片１０の縦方向に略亘るような突条に形成されている。なお、横片９の突出先端の面板１７からの距離は、壁面当接片１３の突出先端の面板１７からの距離と同じかまたはそれ以下に設定されている。
【００１１】
引掛け具１は図５に示すようなものであって、建物の壁面５に沿わせる固定片２と、上記固定片２の幅方向両端に前方屈曲した段部３を介して上記固定片２に対して略平行に延出した１対のひれ片４とで構成された横方向に長く形成した板状体である。この引掛け具１は、固定片２に設けた貫通孔１４にねじ具等の固着具６を挿通させて壁面５に固定されるものである。壁面５に固定した引掛け具１においては１対のひれ片４と壁面５との間にそれぞれ隙間１１が形成されるものである。なお、図中１５は壁面５に設けた固着具挿入孔１６に埋設される埋め込みボルトである。
【００１２】
上述した構成を有する壁掛けラック８は壁面５に固定した引掛け具１に引掛けて浴室の壁面５に配置されるものであるが、これは、図８に示すように、予め壁面５に固定しておいた引掛け具１の上部に係止部７が位置するように壁掛けラック８を上記壁面５に沿わせて配置し、そして、上記壁掛けラック８を下方にスライドさせて係止部７の縦片１０を引掛け具１のひれ片４と壁面５との間の隙間１１に挿入させるような作業で行われる。ここで、引掛け具１に引掛けて壁面５に沿わせて配置した壁掛けラック８においては、壁面当接片１３の突出先端を壁面５に当接させると共に、上記隙間１１に配置した縦片１０の突起部１２を引掛け具１のひれ片４に圧接させている。ひれ片４に圧接させた係止部７の縦片１０においては上記ひれ片４から壁面５方向への押圧力を受けるものであり、上記押圧力は壁掛けラック８を通じて１対の壁面当接片１３を壁面５に押し付けるように働くものであって、つまり、壁掛けラック８は引掛け具１のひれ片４と壁面５との間に縦片１０を挟ませるような構造で壁面５に配置されるのである。なお、横片９を引掛け具１の上端に載置させるようにしても良く、これによると、縦片１０へのひれ片４及び壁面５の挟持圧力を少なくしても係止部７を引掛け具１に係止させ、壁掛けラック８を壁面５に沿わせて配置することができる。
【００１３】
このように、壁掛けラック８は、壁面５に設置した引掛け具１に壁掛けラック８の裏面に設けた係止部７を引掛けることで壁面５に沿わせて配置されているので、壁掛けラック８の面板１７により前面から引掛け具１を見えなくさせるものであって、壁面５に配置した壁掛けラック８は外観良く配置されるのである。また、引掛け具１への係止部７の係止構造は、上述したように縦片１０の壁面５及びひれ片４による挟持構造によってなされているので、壁掛けラック８を引掛け具１に着脱自在にするものであって、壁掛けラック８を壁面５から取り外しての壁掛けラック８個別の容易な洗浄・清掃等を可能にしているのである。また、係止部７の縦片１０に突起部１２を設けたことは、上記突起部１２が縦片１０の片厚の厚みを増すようにさせるものであるから、ひれ片４と壁面５との間に縦片１０を確実に圧接させるようにでき、壁掛けラック８をがたつきなく壁面５に配置させ得るようにしているのである。また、上述したように縦片１０は隙間１１に上方から下方にスライドさせて配置されるものであるが、突起部１２の形状を縦片１０の縦方向に略亘るような突条に形成させたので、縦片１０のスライド方向への縦片１０と壁面５及びひれ片４への接触面積を少なくさせて縦片１０の上記隙間１１への挿入・引き抜きをスムーズにさせていると共に、縦片１０をその縦方向に亘って壁面５及びひれ片４に挟持させて壁掛けラック８のがたつき防止の向上を図っているのである。なお、ひれ片４に圧接した突起部１２には、壁面５及びひれ片４から縦片１０にかかる挟持圧力が集中してかかるものであることから、突起部１２を含めた縦片１０の片厚が隙間１１厚に比べて多少大きいものであっても上記突起部１２を潰すようにして縦片１０を隙間１１に圧入させることができるものであって、つまり、突起部１２を設けた縦片１０の寸法精度を隙間１１厚に合わせて厳密に製造しなくてもよく、縦片１０、ひいては壁掛けラック８の製造コストの低減化を図り得るのである。
【００１４】
なお、上述したように、係止部７は壁面５に設置した引掛け具１に対応して壁掛けラック８に設けられるものであって、本例では壁面５に縦方向に並べて３つ設置した引掛け具１に対応して、面板１７の裏面に縦方向に並べて３つ設けられているが、この係止部７のうち一番上方の位置に設けた係止部７とそれ以外の係止部７とは寸法的に差異をつけて形成されているものである。つまり、一番上方の位置に設けた係止部７は横片９，縦片１０及び側片２２で囲まれた空間に引掛け具１が略ぴったりに配置できる程の寸法設定にしてあり（図６）、他の係止部７は上記空間に引掛け具１が余裕をもって配置できる程の寸法設定にしてあるものである（図７）。すなわち、一番上方の位置に設けた係止部７においては他の係止部７に比べて一回り小さく寸法設定されており、一番上方の位置に設けた係止部７では１対の側片２２に引掛け具１の幅方向両端部分が当接し、他の係止部７では１対の側片２２に引掛け具１の幅方向両端部分が当接しないようになっている。
【００１５】
このようにすることで、引掛け具１に係止部７を引掛けて壁面５に沿わせて壁掛けラック８を配置した状態で壁掛けラック８の壁面５への微小な位置調整を行い得るようにしているのである。つまり、一番上方に位置した係止部７と引掛け具１とは略固定状態に係止されると共にその他の係止部７と引掛け具１とは寸法的に余裕を有して係止されているので、この一番上方の係止部７と引掛け具１との係止部分を中心にした微小な回動を引掛け具１に引掛けた状態の壁掛けラック８に行わせることができて壁面５に配置した壁掛けラック８の傾きを微調整できるようにしている。また、係止部７の引掛け具１への余裕を有した係止構造においては、壁面５に取り付けた引掛け具１の多少の取付誤差を吸収して係止部７と引掛け具１との係止ができるようにしており、壁面５への壁掛けラック８の配置における施工性の向上が図られているのである。なお、本例では一番上方に位置した係止部７とこの係止部７に対応した引掛け具１とが略固定状態に係止されているが、複数個の係止部７と引掛け具１のうちの任意の一組の係止部７と引掛け具１とを略固定状態に係止させると共に他の係止部７と引掛け具１とを余裕を有して係止させることでも、本例同様に、係止部７が引掛け具１の壁面５への取付誤差を吸収することによる施工性の向上や壁面５に配置した壁掛けラック８の微小位置調整を行うことができて好ましいものである。
【００１６】
【発明の効果】
本発明の請求項１記載の壁掛けラックの支持構造にあっては、建物の壁面に沿わせる固定片と上記固定片の幅方向両端に前方屈曲した段部を介して上記固定片に対して略平行に延出した１対のひれ片とで板状の引掛け具を構成し、上記固定片にねじ具等の固着具を挿通させて引掛け具を壁面に固定し、引掛け具に引掛ける係止部が裏面に備えられた壁掛けラックを上記壁面に沿わせて配置し、上記係止部が壁掛けラックの裏面から裏方に突設した横片と上記横片の突出先端で且つ幅方向両端にそれぞれ垂設した１対の縦片とを有し、引掛け具の１対のひれ片と壁面との間の隙間に上記係止部の１対の縦片をそれぞれ配置した壁掛けラックの支持構造において、上記係止部の縦片に突起部を壁掛けラックの裏面方向に突設し、上記突起部を引掛け具のひれ片に圧接したので、縦片の突起部をひれ片に圧接して壁面にガタつきなく壁掛けラックを配置できるものであり、また上記突起部を縦片の縦方向に略亘るような突条に形成したので、隙間に対して挿入・引き抜きをする縦片のスライド方向への縦片と壁面及びひれ片への接触面積を少なくさせて縦片の上記隙間への挿入・引き抜きをスムーズにさせると共に、縦片をその縦方向に亘って壁面及びひれ片に挟持させることから壁掛けラックのがたつき防止の向上を図ることができるものである。更に、突起部には、壁面及びひれ片から縦片にかかる挟持圧力が集中してかかるものであることから、突起部を含めた縦片の片厚が隙間厚に比べて多少大きいものであっても上記突起部を潰すようにして縦片を隙間に圧入させることができるものであって、つまり、突起部を設けた縦片の寸法精度を隙間厚に合わせて厳密に製造しなくてもよく、縦片、ひいては壁掛けラックの製造コストの低減化を図り得るという利点もある。
【図面の簡単な説明】
【図１】本発明の実施の形態の例を示す水平断面図である。
【図２】図１のＡ部分の拡大図である。
【図３】同上の壁掛けラックを示すものであり、（ａ）は正面図であり、（ｂ）は下面図である。
【図４】図３（ａ）のＢ−Ｂ線断面図である。
【図５】同上の引掛け具の壁面への取付状態を示す分解斜視図である。
【図６】同上の一番上方の係止部における引掛け具への係止構造を示す裏面図である。
【図７】同上の一番上方の以外の係止部における引掛け具への係止構造を示す裏面図である。
【図８】同上の係止部の引掛け具への係止施工を説明する側面断面図である。
【図９】従来の技術の例の浴室の壁面に配置した壁掛けラックを示す斜視図である。
【図１０】同上の壁掛けラックの引掛け具への係止を説明する斜視図である。
【図１１】同上の壁掛けラックの係止部と引掛け具との係止部分を示す水平断面図である。
【符号の説明】
１  引掛け具
２  固定片
３  段部
４  ひれ片
５  壁面
６  固着具
７  係止部
８  壁掛けラック
９  横片
１０  縦片
１１  隙間
１２  突起部
【図１】
0003736393.tif 000002
【図２】
0003736393.tif 000003
【図３】
0003736393.tif 000004
【図４】
0003736393.tif 000005
【図５】
0003736393.tif 000006
【図６】
0003736393.tif 000007
【図７】
0003736393.tif 000008
【図８】
0003736393.tif 000009
【図９】
0003736393.tif 000010
【図１０】
0003736393.tif 000011
【図１１】
0003736393.tif 000012